(57)【要約】  簡単な構造で導体と磁電変換素子との間の距離を一定に保つことができ、しかも導体の径が異なっても対応できる汎用性の高い電流センサを提供する。クリップ部材９及び１１が、シールドケース５の電流が流れる方向の両側に配置される。クリップ部材９及び１１は、クリップ構造によりハウジング７１の一部及びケーブルＣ（導体）の一部を挟むようにハウジング７１に対して装着されて、ケーブルＣ（導体）と磁電変換素子８との距離を一定に保つ。
2018034338.tif 000002
【特許請求の範囲】
【請求項１】
対向する一対の側壁部と該一対の側壁部を連結する連結部を備え且つ電流が流れる導体の前記電流が流れる方向に延びる仮想中心線の回りを前記一対の側壁部と前記連結部により囲むように配置された概ねＵ字状のシールド本体と、
対向する一対の側壁部と該一対の側壁部を連結する連結部を備え且つ前記シールド本体が嵌合される嵌合凹部を備えた電気絶縁材料からなる概ねＵ字状のシールドケースと、
前記導体に電流が流れたときに発生する磁界または磁束を検知して電気信号に変換する磁電変換素子をハウジングの内部に収納した素子収納ユニットを備え、
前記シールドケースの対向する前記一対の側壁部にそれぞれ設けられた一対の係合部と前記素子収納ユニットの前記ハウジングに設けられて前記一対の係合部と係合する一対の被係合部とが係合した状態において、前記導体が前記シールド本体と前記素子収納ユニットとの間に位置している電流センサにおいて、
電気絶縁性と可撓性を有し、前記シールドケースの前記電流が流れる方向の両側に配置され、クリップ構造により前記ハウジングの一部及び前記導体の一部を挟むように前記ハウジングに対して装着されて、前記導体と前記磁電変換素子との距離を一定に保つ一対のクリップ部材を備えていることを特徴とする電流センサ。
【請求項２】
前記ハウジングの中心を通り、前記仮想中心線と平行に延びる別の仮想中心線を囲む前記ハウジングの外周面は、前記導体と対向する第１の側面と、該第１の側面と対向する第２の側面と、前記第１の側面と前記第２の側面をそれぞれ連結し互いに対向する第３及び第４の側面とを備えており、
前記一対のクリップ部材は、それぞれ前記ハウジングの前記第１の側面と前記第２の側面と接触する第１の一対の挟持部及び前記第３の側面と前記第４の側面と接触する第２の一対の挟持部を備えたハウジング挟持部分と、前記ハウジング挟持部分と連続して設けられて前記導体の一部を挟持する一対の導体挟持部分が一体に形成された構造を有している請求項１に記載の電流センサ。
【請求項３】
前記ハウジングには、前記一対のクリップ部材が前記電流が流れる方向に移動することを阻止する複数のストッパが一体に形成されている請求項１または２に記載の電流センサ。
【請求項４】
前記複数のストッパは、前記一対のクリップ部材の間に位置して該一対のクリップ部材の内側端面と接触するように前記ハウジングの前記第２の側面に設けられた第１のストッパと、前記第３及び第４の側面に設けられて前記一対のクリップ部材の一方のクリップ部材の外側端面と接触する第２及び第３のストッパ並びに前記一対のクリップ部材の他方のクリップ部材の外側端面と接触する第４及び第５のストッパとからなる請求項３に記載の電流センサ。
【請求項５】
前記第１のストッパは、前記第２の側面が突出して形成された突出面からなり、
前記シールドケースの前記一対の側壁部に設けられた前記一対の係合部は、互いに向き合う方向に延びて前記突出面と接触する接触面を備えたフック形状を有している請求項４に記載の電流センサ。
【請求項６】
前記クリップ部材の前記一対の導体挟持部分の一方の前記導体挟持部分の前記導体と接触する面は、前記導体の外面に沿い且つ前記導体の外面と前記導体の周方向に離れた２箇所で接触するように湾曲しており、前記一対の導体挟持部分の他方の前記導体挟持部分の前記導体と接触する面は平面である請求項２に記載の電流センサ。
【請求項７】
前記クリップ部材の前記第２の一対の挟持部のうち前記他方の導体挟持部分側に位置する一方の前記挟持部は、前記他方の導体挟持部分から離れるに従って厚みが増加する形状を有している請求項６に記載の電流センサ。
【請求項８】
前記ハウジングの前記別の仮想中心線が延びる方向の端部には、前記磁電変換素子を含む回路のためのコネクタが設けられている請求項２に記載の電流センサ。
【請求項９】
前記一対のクリップ部材は、前記仮想中心線と直交し且つ前記シールドケースの中心を通る仮想面に対して面対称になる同じ形状を有している請求項１に記載の電流センサ。
【請求項１０】
前記一対のクリップ部材の前記一方の導体挟持部分は、前記シールド本体の内部に一部が嵌合される嵌合部分を有しており、
前記仮想中心線と直交し且つ前記シールドケースの中心を通る仮想面に対して、前記シールドケースは非面対称となる形状を有しており、
前記一対のクリップ部材の前記ハウジング挟持部分は、前記嵌合部分が前記シールド本体内に嵌合している状態において、前記シールドケースと当接する当接部分を有しており、且つ前記仮想面に対して非面対称になる形状を有している請求項２に記載の電流センサ。
【請求項１１】
前記磁電変換素子は、前記導体の周囲を囲むように発生する磁束による磁界の強さに比例して抵抗値が変化するＡＭＲ素子である請求項１乃至１０のいずれか１項に記載の電流センサ。
【発明の詳細な説明】
【技術分野】
【０００１】
本発明は、磁電変換素子を用いた電流センサに関するものである。
【背景技術】
【０００２】
特許第５９４４７２０号公報（特許文献１）の図１乃至図４には、対向する一対の側壁部と該一対の側壁部を連結する連結部を備え且つ電流が流れる導体（変形可能な撚り線）９の電流が流れる方向に延びる仮想中心線の回りを一対の側壁部と前記連結部により囲むように配置された概ねＵ字状のシールド本体４５と、対向する一対の側壁部と該一対の側壁部を連結する連結部を備え且つシールド本体が嵌合される嵌合凹部を備えた電気絶縁材料からなる概ねＵ字状のシールドケース４７と、導体９に電流が流れたときに発生する磁界または磁束を検知して電気信号に変換する磁電変換素子１１をハウジング２７の内部に収納した素子収納ユニットを備えた従来の電流センサが開示されている。この電流センサでは、シールドケース４７の対向する一対の側壁部にそれぞれ設けられた一対の係合部５５と素子収納ユニットのハウジング２７に設けられて一対の係合部５５と係合する一対の被係合部（貫通孔）４９とが係合した状態において、導体９がシールド本体４５と素子収納ユニットとの間に位置している。そしてこの従来の電流センサでは導体９を圧縮変形させた状態で、カバー２３とシールドケース４７に設けた一対の凹部６５との間で挟んでいる。
【先行技術文献】
【特許文献】
【０００３】
【特許文献１】特許第５９４４７２０号公報
【発明の概要】
【発明が解決しようとする課題】
【０００４】
しかしながら従来の構造の電流センサでは、導体と磁電変換素子との間の距離を一定に維持するために、シールドケースとハウジングの構造を複雑なものとせざるを得ず、またシールドケースとハウジングの寸法精度を高くする必要があった。さらに導体の径寸法が異なると、シールドケースとハウジングの寸法設計をやり直さなければならず、汎用性に欠ける問題があった。【０００５】
本発明の目的は、簡単な構造で導体と磁電変換素子との間の距離を一定に保つことができ、しかも導体の径が異なっても対応できる汎用性の高い電流センサを提供することにある。
【課題を解決するための手段】
【０００６】
本発明の電流センサは、シールド本体と、シールドケースと、素子収納ユニットと、を備えている。シールド本体は、対向する一対の側壁部と該一対の側壁部を連結する連結部を備え且つ電流が流れる導体の電流が流れる方向に延びる仮想中心線の回りを一対の側壁部と連結部により囲むように配置された概ねＵ字状を呈している。本願明細書において、「導体」とは絶縁被覆された導体と絶縁被覆されていない導体の両方を含むものである。そしてシールドケースは、対向する一対の側壁部と該一対の側壁部を連結する連結部を備え且つシールド本体が嵌合される嵌合凹部を備えた電気絶縁材料からなる概ねＵ字状を呈している。素子収納ユニットは、導体に電流が流れたときに発生する磁界または磁束を検知して電気信号に変換する磁電変換素子をハウジングの内部に収納した構造を有している。そしてシールドケースの対向する一対の側壁部にそれぞれ設けられた一対の係合部と素子収納ユニットのハウジングに設けられて一対の係合部と係合する一対の被係合部とが係合した状態において、導体がシールド本体と素子収納ユニットとの間に位置している。本発明においては、特に、電気絶縁性と可撓性を有し、シールドケースの電流が流れる方向の両側に配置され、クリップ構造によりハウジングの一部及び導体の一部を挟むようにハウジングに対して装着されて、導体と磁電変換素子との距離を一定に保つ一対のクリップ部材を備えている。本発明のように、一対のクリップ部材を設けると、従来のように、シールドケースとハウジングとの間で導体の位置決めをする必要がないので、シールドケースとハウジングの構造を簡単なものとすることができる上、導体の径が異なっても、基本的にシールドケースとハウジングの設計を変更する必要がない。また導体の径が大きく異なる場合には、一対のクリップ部材を異なる径の導体を挟持できるものに変えればよいので、汎用性が高くなる。【０００７】
一対のクリップ部材が、仮想中心線と直交し且つシールドケースの中心を通る仮想面に対して面対称になる同じ形状を有していれば、一対のクリップ部材として同じものを用いることができるので、部品の種類が減る上、電流センサの製造コストを下げることができる。【０００８】
ハウジングの中心を通り、前記仮想中心線と平行に延びる別の仮想中心線を囲むハウジングの外周面は、導体と対向する第１の側面と、該第１の側面と対向する第２の側面と、第１の側面と第２の側面をそれぞれ連結し互いに対向する第３及び第４の側面とを備えているものをハウジングとして用いることができる。この場合、一対のクリップ部材は、それぞれハウジングの第１の側面と第２の側面と接触する第１の一対の挟持部及び第３の側面と第４の側面と接触する第２の一対の挟持部を備えたハウジング挟持部分と、ハウジング挟持部分と連続して設けられて導体の一部を挟持する一対の導体挟持部分が一体に形成された構造を有しているのが好ましい。このような構造を採用すると、ハウジング挟持部分によりクリップ部材のハウジングに対する位置決めを確実に行うことができる。また一対の導体挟持部分のハウジングに対する位置も完全に固定することができる。その結果、導体と磁電変換素子との距離を確実に一定なものとして維持することができる。【０００９】
ハウジングには、一対のクリップ部材が電流が流れる方向に移動することを阻止する複数のストッパが一体に形成されているのが好ましい。このような複数のストッパを設ければ、一対のクリップ部材の寸法精度が多少悪い場合でも、一対のクリップ部材の位置が変わることがない。【００１０】
なお複数のストッパは、一対のクリップ部材の間に位置して該一対のクリップ部材の内側端面と接触するようにハウジングの第２の側面に設けられた第１のストッパと、第３及び第４の側面に設けられて一対のクリップ部材の一方のクリップ部材の外側端面と接触する第２及び第３のストッパ並びに一対のクリップ部材の他方のクリップ部材の外側端面と接触する第４及び第５のストッパとから構成するのが好ましい。このような第１乃至５のストッパを設けると、少ない数のストッパを用いて、一対のクリップ部材の位置を確実に固定することができる。【００１１】
なお第１のストッパは、第１の側面が突出して形成された突出面からなり、シールドケースの一対の側壁部に設けられた一対の係合部は、互いに向き合う方向に延びて突出面と接触する接触面を備えたフック形状を有しているのが好ましい。このような構造では、シールドケースをハウジングに取り付ける際に、ハウジングの第３及び第４の側面に沿ってシールドケースの一対の側壁部に設けた一対の係合部を滑らせながら移動させるだけで、一対の係合部と一対の被係合部を係合状態にすることができる。【００１２】
クリップ部材の一対の導体挟持部分の一方の導体挟持部分の導体と接触する面は、導体の外面に沿い且つ導体の外面と導体の周方向に離れた２箇所で接触するように湾曲しており、一対の導体挟持部分の他方の導体挟持部分の導体と接触する面は平面であるのが好ましい。このような構成を採用すると、導体の径寸法がばらついても導体を一対の導体挟持部分により確実に挟持することができる。【００１３】
クリップ部材の第２の一対の挟持部のうち他方の導体挟持部分側に位置する一方の挟持部は、他方の導体挟持部分から離れるに従って厚みが増加する形状を有しているのが好ましい。このようにするとクリップ部材を拡げた際に発生する応力集中で、クリップ部材の角部で破損が発生することを防止できる。【００１４】
また一対のクリップ部材の一方の導体挟持部分は、シールド本体の内部に一部が嵌合される嵌合部分を有していてもよい。この場合、仮想中心線と直交し且つシールドケースの中心を通る仮想面に対して、シールドケースは非面対称となる形状を有しているのが好ましい。そして一対のクリップ部材のハウジング挟持部分は、嵌合部分がシールド本体内に嵌合している状態において、シールドケースと当接する当接部分を有しており、且つ仮想面に対して非面対称になる形状を有しているのが好ましい。このようにすると常にシールド本体の取付状態が一定になるため、組立のバラツキが特性のバラツキの発生原因となることを防止できる。【００１５】
ハウジングの別の仮想中心線が延びる方向の端部には、磁電変換素子を含む回路のためのコネクタが設けられていてもよい。コネクタを用いると電流センサの取付の際にリード線が邪魔になることがないので、電流センサの取付作業が容易になる。【００１６】
磁電変換素子は、任意であるが、導体の周囲を囲むように発生する磁束による磁界の強さに比例して抵抗値が変化するＡＭＲ素子であるのが好ましい。
【図面の簡単な説明】
【００１７】
【図１】導体に対して装着された本発明の電流センサを正面右側から見た斜視図である。
【図２】図１の電流センサの分解斜視図である。
【図３】図１の電流センサを背面側から見た分解斜視図である。
【図４】図１のＩＶ−ＩＶ線断面図である。
【図５】図１のＶ−Ｖ線断面図である。
【図６】（Ａ）は第２の実施の形態の電流センサの斜視図を示しており、（Ｂ）は図６（Ａ）の左側面図を示している。
【図７】（Ａ）は第２の実施の形態の電流センサの斜視図を示しており、（Ｂ）は図７（Ａ）の分解斜視図を示している。
【発明を実施するための形態】
【００１８】
以下、図面を参照しながら本発明に係る電流センサの実施の形態について説明する。
【００１９】
各図において、本実施の形態の電流センサは絶縁被覆導体であるケーブルＣに流れる電流を検知する。導体は、本実施の形態においては絶縁被覆されたケーブルＣだが、他の実施の形態では絶縁被覆されていない導体やバスバなども検知の対象となり得る導体である。図１はケーブルＣ（導体）に対して装着された本発明の第１の実施の形態の電流センサ１の正面側から見た斜視図を示しており、図２は図１の電流センサの分解斜視図であり、図３は図１の電流センサを背面側から見た分解斜視図であり、図４は図１のＩＶ−ＩＶ線断面図、図５は図１のＶ−Ｖ線断面図である。なお図４及び図５において、断面部を示すハッチングを省略してある。
【００２０】
これらの図において、本実施の形態の電流センサ１は、シールド本体３と、シールドケース５と、素子収納ユニット７と、一対のクリップ部材９及び１１を備えている。
【００２１】
シールド本体３は、外界からの磁界の影響をシールドするため、及びケーブルが発生した磁束を集中させるためにＰＣパーマロイ製である。ＰＣパーマロイは、Ｎｉを主成分とし、Ｃｕ及びＭｏの少なくとも一方を副成分とし、残部がＦｅからなる高透磁率材料であり、本実施の形態では、Ｎｉが７７〜７９％、Ｃｕが０〜５％、Ｍｏが４〜５％、Ｆｅが１３〜１５．４％を含むもの、その他にＣ，Ｓｉ，Ｍｎ等を含むものを用いている。シールド本体３は帯状のＰＣパーマロイ板がＵ字形に湾曲させられて構成されており、対向する一対の側壁部３１及び３２と該一対の側壁部３１及び３２を連結する連結部３３を備え且つ電流が流れる導体の電流が流れる方向に延びる仮想中心線ＣＬ１の回りを一対の側壁部３１及び３２と連結部３３により囲むように配置された概ねＵ字状を呈している。一対の側壁部３１，３２の他端側は連結することなく開口している。
【００２２】
シールドケース５は、対向する一対の側壁部５１及び５２と該一対の側壁部５１及び５２を連結する連結部５３を備えて、ガラス入りのポリブチレンテレフタレイト等の電気絶縁材料により概ねＵ字状に一体成形されている。そしてシールドケース５は、シールド本体３が嵌合される嵌合凹部５４を備えている。なお図示していないが、本実施の形態では、組立時に嵌合凹部５４からシールド本体３が抜け出るのを防止するために、連結部５３の一部を突出させたり、または溶融変形させて、シールド本体３に対する抜け止め部を形成してある。
【００２３】
シールドケース５の対向する一対の側壁部５１及び５２には、それぞれ一対の係合部５５及び５６が一体に設けられている。一対の側壁部５１及び５２に設けられた一対の係合部５５及び５６は、互いに向き合う方向に延びて突出面と接触する接触面５５Ａ及び５６Ａを備えたフック形状を有している。
【００２４】
素子収納ユニット７は、ケーブルＣ（導体）に電流が流れたときに発生する磁界または磁束を検知して電気信号に変換する磁電変換素子８（図４及び図５）をハウジング７１の内部に収納した構造を有している。ハウジング７１は、ガラス入りのポリブチレンテレフタレイト等の電気絶縁性を有する絶縁樹脂材料からなり、嵌合構造と係止構造とにより結合されたハウジング本体７２とベース７３とから構成されている。具体的には、ベース７３に設けた係止部７３Ａをハウジング本体７２の側壁の内部に設けた被係止部７２Ａと係止させている。
【００２５】
ハウジング７１の中心を通り、仮想中心線ＣＬ２を囲むハウジング７１の外周面は、ケーブルＣ（導体）と対向する第１の側面７１Ａと、該第１の側面７１Ａと対向する第２の側面７１Ｂと、第１の側面７１Ａと第２の側面７１Ｂをそれぞれ連結し互いに対向する第３の側面７１Ｃ及び第４の側面７１Ｄとを備えている。ハウジング７１には、一対のクリップ部材９及び１１が、電流が流れる方向に移動することを阻止する５つの第１乃至第５のストッパ（７４〜７８）が一体に形成されている。第１のストッパ７４は、一対のクリップ部材９及び１１の間に位置して該一対のクリップ部材９及び１１の内側端面と接触するようにハウジング７１の第２の側面７１Ｂに設けられている。第１のストッパ７４は、第２の側面７１Ｂが突出して形成された突出面からなる。本実施の形態では、第１のストッパ７４の幅方向に対向する一対の上側角部７４Ａ及び７４Ｂがハウジング７１に設けられた一対の被係合部を構成している。またハウジング７１はさらに、第３の側面７１Ｃ及び第４の側面７１Ｄに設けられてクリップ部材１１の外側端面と接触する第２のストッパ７５及び第３のストッパ７６と、クリップ部材９の外側端面と接触する第４のストッパ７７及び第５のストッパ７８を備えている。なお第２乃至第５のストッパ７５乃至７８は、ベース７２と一体に形成されている。これらストッパ７４〜７８を設ければ、一対のクリップ部材９及び１１の寸法精度が多少悪い場合でも、一対のクリップ部材９及び１１の位置が変わることがない。
【００２６】
一対のクリップ部材９及び１１は、電気絶縁性と可撓性を有するガラス入りのポリブチレンテレフタレイト等の絶縁樹脂材料により一体に成形されている。クリップ部材９及び１１は、シールドケース５の電流が流れる方向の両側に配置され、クリップ構造によりハウジング７１の一部及びケーブルＣ（導体）の一部を挟むようにハウジング７１に対して装着されて、ケーブルＣ（導体）と磁電変換素子８との距離を一定に保つために設けられている。一対のクリップ部材９及び１１は、それぞれハウジング７１の第１の側面７１Ａと第２の側面７１Ｂと接触する第１の一対の挟持部（９Ａ及び１１Ａ並びに９Ｂ及び１１Ｂ）及び第３の側面７１Ｃと第４の側面７１Ｄと接触する第２の一対の挟持部（９Ｃ及び１１Ｃ並びに９Ｄ及び１１Ｄ）を備えたハウジング挟持部分９１及び１１１と、ハウジング挟持部分９１及び１１１と連続して設けられてケーブルＣ（導体）の一部を挟持する一対の導体挟持部分（９２Ａ及び９２Ｂ，１１２Ａ及び１１２Ｂ）が一体に形成された構造を有している。一対のクリップ部材９及び１１の一対の導体挟持部分（９２Ａ及び９２Ｂ，１１２Ａ及び１１２Ｂ）の一方の導体挟持部分（９２Ａ，１１２Ａ）のケーブルＣ（導体）と接触する面は、ケーブルＣ（導体）の外面に沿い且つ前記導体の外面とケーブルＣ（導体）の周方向に離れた２箇所で接触するように湾曲しており、一対の導体挟持部分（９２Ａ及び９２Ｂ，１１２Ａ及び１１２Ｂ）の他方の導体挟持部分（９２Ｂ、１１２Ｂ）のケーブルＣ（導体）と接触する面は平面である。本実施の形態ではケーブルＣが絶縁被覆導体であるため、図４に示すように、ケーブルＣの絶縁被覆は導体挟持部分９２Ｂにより圧縮変形している。
【００２７】
本実施の形態では、一対のクリップ部材９及び１１が、仮想中心線ＣＬ２と直交し且つシールドケース５の中心を通る仮想面（図示せず）に対して面対称になる同じ形状を有している。そのため、一対のクリップ部材９及び１１として同じものを用いることができるので、部品の種類が減る上、電流センサの製造コストを下げることができる。また本実施の形態で用いる一対のクリップ部材９及び１１の形状であれば、ハウジング挟持部分９１及び１１１によりクリップ部材９及び１１のハウジング７１に対する位置決めを確実に行うことができる。また一対の導体挟持部分（９２Ａ及び９２Ｂ，１１２Ａ及び１１２Ｂ）のハウジング７１に対する位置も完全に固定することができる。その結果、ケーブルＣ（導体）と磁電変換素子８との距離を確実に一定なものとして維持することができる。
【００２８】
本実施の形態では、シールド本体３を嵌合したシールドケース５をハウジング７１に取り付ける際には、ハウジング７１の第３及び第４の側面７１Ｃ及び７１Ｄに沿ってシールドケース５の一対の側壁部５１及び５２に設けた一対の係合部５５及び５６を滑らせながら移動させるだけで、一対の係合部５５及び５６と一対の被係合部７４Ａ及び７４Ｂを係合状態にすることができる。このようにして素子収納ユニット７のハウジング７１に設けられて一対の被係合部７４Ａ及び７４Ｂと一対の係合部５５及び５６とが係合した状態において、ケーブルＣ（導体）がシールド本体３と素子収納ユニット７との間に位置することになる。
【００２９】
また一対のクリップ部材９及び１１をハウジング７１に装着する際には、一対の導体挟持部分（９２Ａ及び９２Ｂ，１１２Ａ及び１１２Ｂ）を外側に広げた状態で、ハウジング挟持部分９１及び１１１をハウジング７１の両端部に嵌合させ、一対の導体挟持部分（９２Ａ及び９２Ｂ，１１２Ａ及び１１２Ｂ）が第２乃至第５のストッパを越えた位置で一対の導体挟持部分（９２Ａ及び９２Ｂ，１１２Ａ及び１１２Ｂ）を広げていた力を解除する。
【００３０】
本実施の形態では、一対のクリップ部材９及び１１を設けたので、従来のように、シールドケースとハウジングとの間で導体の位置決めをする必要がない。その結果、シールドケース５とハウジング７１の構造を簡単なものとすることができる上、ケーブルＣ（導体）の径が異なっても、基本的にシールドケース５とハウジング７１の設計を変更する必要がない。またケーブルＣ（導体）の径が大きく異なる場合には、一対のクリップ部材９及び１１を異なる径の導体を挟持できるものに変えればよい。
【００３１】
磁電変換素子８として用いるＡＭＲ素子は、ケーブルＣに電流が流れたときに発生する磁界の磁束密度を検知して電気信号に変換する。本実施の形態では、磁電変換素子８としてケーブルＣの周囲を囲むように発生する磁束による磁界の強さに比例して抵抗値が変化するＡＭＲ素子を用いているが、他の実施の形態では、ＧＭＲ素子、ＴＭＲ素子等、他の磁電変換素子も使用することができる。ＡＭＲ素子は、電流の測定範囲が広く、しかも大電流の測定に優れている。
【００３２】
［第２の実施の形態］
図６（Ａ）は、第２の実施の形態の電流センサ１の斜視図を示している。図６（Ａ）では、電流センサはケーブルには実装していない。図６（Ｂ）は図６（Ａ）の左側面図である。なお図６（Ａ）及び（Ｂ）においては、図１乃至図５に示した第１の実施の形態と同様の部分には、図１乃至図５に付した符号と同じ符合を付して説明を省略する。本実施の形態では、クリップ部材９及び１１の第２の一対の挟持部（９Ｃ及び１１Ｃ並びに９Ｄ及び１１Ｄ）のうち他方の導体挟持部分（９２Ｂ、１１２Ｂ）側に位置する一方の挟持部（９Ｃ及び１１Ｃ）は、他方の導体挟持部分（９２Ｂ、１１２Ｂ）から離れるに従って厚み（ハウジング７１に向かう方向の厚み寸法）が増加する形状を有している。言い換えると一方の挟持部（９Ｃ及び１１Ｃ）には、他方の導体挟持部分（９２Ｂ、１１２Ｂ）に向かうに従って厚みが薄くなるテーパが付されている。このようにするとクリップ部材９及び１１を拡げた際に発生する応力集中で、クリップ部材９及び１１の角部［挟持部（９Ｂ，１１Ｂ）と挟持部（９Ｃ，１１Ｃ）の間の角部］で破損が発生することを防止できる。
【００３３】
［第３の実施の形態］
図７（Ａ）は、第３の実施の形態の電流センサ１の斜視図を示している。図７（Ａ）では、電流センサはケーブルには実装していない。図７（Ｂ）は図７（Ａ）の分解斜視図である。なお図７（Ａ）及び（Ｂ）においては、図１乃至図５に示した第１の実施の形態と同様の部分には、図１乃至図５に付した符号と同じ符合を付して説明を省略する。
【００３４】
本実施の形態では、シールドケース５´と、一対のクリップ部材９´及び１１´の形状が第１の実施の形態のシールドケース５及び一対のクリップ部材９及び１１の形状と異なる。本実施の形態の一対のクリップ部材９´及び１１´の一方の導体挟持部分（９２´Ａ，１１２´Ａ）は、シールド本体５´の内部に一部が嵌合される嵌合部分（９２´Ａａ，１１２´Ａａ）を有していてもよい。この場合、仮想中心線ＣＬ１と直交し且つシールドケース５´の中心を通る仮想面（図示しない）に対して、シールドケース５´は非面対称となる（面対称ではない）形状を有している。具体的には、本実施の形態では、シールドケース５´のクリップ部材１１´側の部分に凸部５´Ａが形成されている。また一対のクリップ部材９´及び１１´のハウジング挟持部分９１´及び１１１´は、嵌合部分（９２´Ａａ，１１２´Ａａ）がシールド本体３内に嵌合している状態において、シールドケース５´と当接する当接部分（９１´，１１１´Ａ）を有しており、且つ仮想中心線ＣＬ１と直交し且つシールドケース５´の中心を通る仮想面（図示しない）に対して非面対称になる形状を有している。このようにすると常にシールド本体３の取付状態が一定になるため、組立のバラツキが特性のバラツキの発生原因となることを防止できる。
【産業上の利用可能性】
【００３５】
本発明によれば、一対のクリップ部材を設けたので、従来のように、シールドケースとハウジングとの間で導体の位置決めをする必要がなく、シールドケースとハウジングの構造を簡単なものとすることができる。その上、導体の径が異なっても、基本的にシールドケースとハウジングの設計を変更する必要がない。また導体の径が大きく異なる場合には、一対のクリップ部材を異なる径の導体を挟持できるものに変えればよいので、汎用性が高くなる。
【符号の説明】
【００３６】
１  電流センサ
３  シールド本体
５  シールドケース
５５，５６  係合部
７  素子収納ユニット
７４〜７８  ストッパ
７４Ａ，７４Ｂ  被係合部
８  磁電変換素子
９，１１  クリップ部材側壁部
９１及び１１１  ハウジング挟持部分
９２Ａ及び９２Ｂ，１１２Ａ及び１１２Ｂ  導体挟持部分
Ｃ  ケーブル
【図１】
2018034338.tif 000003
【図２】
2018034338.tif 000004
【図３】
2018034338.tif 000005
【図４】
2018034338.tif 000006
【図５】
2018034338.tif 000007
【図６】
2018034338.tif 000008
【図７】
2018034338.tif 000009
【国際調査報告】
2018034338.tif 000010
2018034338.tif 000011
2018034338.tif 000012
2018034338.tif 000013